(57)【要約】【課題】モジュール型測定器のモジュールパネルにおいて、端子と板金ブラケットとの離間距離を確保できるようにする。【解決手段】モジュール型測定器のモジュールに用いられる、測定用端子を備えたモジュールパネルであって、測定用端子が配置され、モジュール型測定器に取り付けるためのネジ穴が複数箇所形成されたモジュールパネル本体と、ネジ穴に対応した穴が形成された複数の取付部と、取付部を連結する連結部とを有し、連結部がモジュールパネル本体の側面壁よりも外側に配置される板金ブラケットと、を備えたモジュールパネル。【選択図】図１
2012112772.tif 000002
【特許請求の範囲】
【請求項１】
モジュール型測定器のモジュールに用いられる、測定用端子を備えたモジュールパネルであって、
前記測定用端子が配置され、前記モジュール型測定器に取り付けるためのネジ穴が複数箇所形成されたモジュールパネル本体と、
前記ネジ穴に対応した穴が形成された複数の取付部と、前記複数の取付部を連結する連結部とを有し、前記連結部が前記モジュールパネル本体の側面壁よりも外側に配置される板金ブラケットと、
を備えたことを特徴とするモジュールパネル。
【請求項２】
前記モジュール型測定器に取り付けるためのネジ穴は、前記モジュールパネルの上下部２箇所に形成され、
前記板金ブラケットの連結部は、前記モジュールパネル本体の横壁よりも外側に配置されることを特徴とする請求項１に記載のモジュールパネル。
【請求項３】
前記モジュールパネル本体は樹脂で形成され、前記板金ブラケットは導電体で形成されていることを特徴とする請求項１または２に記載のモジュールパネル。
【請求項４】
前記モジュールパネル本体に、前記板金ブラケット取り付け用のラッチ部が形成されていることを特徴とする請求項１〜３のいずれか１項に記載のモジュールパネル。
【発明の詳細な説明】
【技術分野】
【０００１】
本発明は、測定器本体にモジュールを取り付けて使用されるモジュール型測定器に係り、特に、板金ブラケットを備えたモジュールパネルに関する。
【背景技術】
【０００２】
測定器本体に、複数のモジュールを取り付け可能なモジュール型測定器が知られている。モジュール型測定器は、入力モジュールや測定モジュールを取り付けることにより、複数種類の測定を行なったり、複数のチャンネル入力を受け付けることができる。
【０００３】
図５は、モジュール型測定器本体２００の背面を示している。モジュールが取り付けられていない状態では、図５（ａ）に示すように、モジュール型測定器本体２００の背面は、モジュール取り付け開口部２１０が大きく開いた状態となっている。モジュール型測定器２００は電子機器であり、開口部２１０の開口長が大きい状態では、電磁ノイズが放射されるおそれがある。
【０００４】
図６は、モジュール型測定器本体２００に取り付けられるモジュール３００の側面図である。モジュール３００は、電気回路、電子回路等を備えたモジュール基板３１０と、測定端子、入力端子等を備えたモジュールパネル３２０とを備えて構成される。
【０００５】
モジュールパネル３２０の本体は、樹脂で形成されており、図７（ａ）に示すように、表面に測定端子、入力端子等が配置されている。本例では、電流入力端子３２２、電圧入力端子３２３、電流センサ入力端子３２４を備えているものとする。
【０００６】
また、モジュールパネル３２０の裏面には、図７（ｂ）に示すように、板金ブラケット３３０が取り付けられている。鉄、アルミニウム等の導電体で形成された板金ブラケット３３０は、モジュールパネル３２０本体の上下に設けられた測定器本体取り付け用ネジ穴に対応する箇所に穴が形成され、これらの上下部が連結部により連結され、一体として構成されている。また、板金ブラケット３３０のモジュールパネル３２０への取り付けもネジにより行なわれる。
【０００７】
連結部は、モジュールパネル３２０本体の横壁３２１の内側に配置されるようになっており、図６に示すように、モジュールパネル３２０本体の横壁３２１に隠れて、側面からは見えないようになっている。
【０００８】
図５（ｂ）は、モジュール型測定器本体２００に１個のモジュール３００を取り付けたときの背面を示している。本図に示すように、モジュール型測定器本体２００の上下２箇所の金属製ネジ止め部２２０と、モジュールパネル３２０の上下に設けられた測定器本体取り付け用ネジ穴とがネジによって止められる。これにより、金属製ネジ止め部２２０を介して板金ブラケット３３０とモジュール型測定器本体２００とが電気的に導通されることになる。この結果、モジュール取り付け開口部２１０の開口長が小さくなり、電磁ノイズの放射が低減される。
【先行技術文献】
【特許文献】
【０００９】
【特許文献１】特開２００９−１８８３２０号公報
【発明の概要】
【発明が解決しようとする課題】
【００１０】
図７に示したように、モジュールパネル３２０には、電流入力端子３２２、電圧入力端子３２３等の測定端子、入力端子が備えられている。これらの測定端子、入力端子と、板金ブラケット３３０とは、感電を防止するため、所定の規格を満たす高耐電圧が必要とされる。
【００１１】
しかしながら、従来の構造では板金ブラケット３３０と測定端子、入力端子との離間距離の確保が難しいという問題がある。
【００１２】
そこで、本発明は、モジュール型測定器のモジュールパネルにおいて、端子と板金ブラケットとの離間距離を確保できるようにすることを目的とする。
【課題を解決するための手段】
【００１３】
上記課題を解決するため、本発明のモジュールパネルは、モジュール型測定器のモジュールに用いられる、測定用端子を備えたモジュールパネルであって、前記測定用端子が配置され、前記モジュール型測定器に取り付けるためのネジ穴が複数箇所形成されたモジュールパネル本体と、前記ネジ穴に対応した穴が形成された複数の取付部と、前記複数の取付部を連結する連結部とを有し、前記連結部が前記モジュールパネル本体の側面壁よりも外側に配置される板金ブラケットと、を備えたことを特徴とする。
【００１４】
より具体的には、前記モジュール型測定器に取り付けるためのネジ穴は、前記モジュールパネルの上下部２箇所に形成され、前記板金ブラケットの連結部は、前記モジュールパネル本体の横壁よりも外側に配置されることができる。
【００１５】
ここで、前記モジュールパネル本体は樹脂で形成され、前記板金ブラケットは導電体で形成されることができる。また、前記モジュールパネル本体に、前記板金ブラケット取り付け用のラッチ部が形成するようにしてもよい。
【発明の効果】
【００１６】
本発明によれば、モジュール型測定器のモジュールパネルにおいて、端子と板金ブラケットとの離間距離を確保できるようになる。
【図面の簡単な説明】
【００１７】
【図１】本実施形態に係るモジュールパネルの裏面斜視図である。
【図２】板金ブラケットを説明する図である。
【図３】モジュールパネルの側面図および裏面図である。
【図４】本実施形態に係るモジュールの側面図である。
【図５】モジュール型測定器本体の背面を示す図である。
【図６】モジュール型測定器本体に取り付ける従来のモジュールの側面図である。
【図７】従来のモジュールパネルを説明する図である。
【発明を実施するための形態】
【００１８】
本発明の実施の形態について図面を参照して説明する。図１は、本実施形態に係るモジュールパネル１２０の裏面斜視図である。本図に示すように、モジュール型測定器のモジュールに用いられるモジュールパネル１２０は、鉄、アルミニウム等の導電体で形成された板金ブラケット１３０を備えている。なお、モジュール型測定器本体は、従来と同様の構成とすることができる。
【００１９】
板金ブラケット１３０は、図２に示すように上側取り付け用ネジ穴部１３０ａ、下側取り付け用ネジ穴部１３０ｂ、連結部１３０ｃが一体となって形成されている。上側取り付け用ネジ穴部１３０ａ、下側取り付け用ネジ穴部１３０ｂは、取付部として機能する。連結部１３０ｃは、上側取り付け用ネジ穴部１３０ａ、下側取り付け用ネジ穴部１３０ｂに対して９０度折り曲げられている。また、上側取り付け用ネジ穴部１３０ａ、下側取り付け用ネジ穴部１３０ｂには、円形のネジ穴に加え、矩形のラッチ用穴が形成されている。
【００２０】
図１の斜視図に示すように、本実施形態において板金ブラケット１３０の連結部１３０ｃは、モジュールパネル１２０本体の側面壁、本例では横壁１２１に対して外側に配置される。これにより、端子と板金ブラケット１３０との離間距離を確保するようにしている。
【００２１】
図３（ａ）は、本実施形態に係るモジュールパネル１２０の側面図であり、図３（ｂ）は、本実施形態に係るモジュールパネル１２０の裏面図である。モジュールパネル１２０本体は、樹脂で形成され、本図に示すように、モジュールパネル１２０は、従来と同様に測定用端子として電流入力端子１２２、電圧入力端子１２３、電流センサ入力端子１２４を備えている。
【００２２】
板金ブラケット１３０の上側取り付け用ネジ穴と下側取り付け用ネジ穴は、モジュールパネル本体１２０の上下に設けられた測定器本体取り付け用ネジ穴と重なるようになっており、モジュール型測定器本体２００（図５参照）の上下２箇所の金属製ネジ止め部２２０にネジによって止められる。これにより、金属製ネジ止め部２２０を介して板金ブラケット１３０とモジュール型測定器本体２００とが電気的に導通されることになる。この結果、モジュール取り付け開口部２１０の開口長が小さくなり、電磁ノイズの放射が低減される。ただし、モジュールパネル本体１２０の測定器本体取り付け用ネジ穴の位置および数は上下２箇所に限られず、モジュール型測定器本体２００の金属製ネジ止め部２２０の位置および数に応じて適宜変更することができる。また、それに応じて板金ブラケット１３０の取り付け用ネジ穴の位置および数も変更することができる。
【００２３】
板金ブラケット１３０の連結部１３０ｃは、モジュールパネル１２０本体の横壁１２１の外側に配置されるため、図３（ａ）に示すようにモジュールパネル１２０の側面に板金ブラケット１３０の連結部１３０ｃが露出している。
【００２４】
板金ブラケット１３０の上側取り付け用ネジ穴部１３０ａ、下側取り付け用ネジ穴部１３０ｂに設けられたラッチ用孔には、モジュールパネル１２０本体のラッチ１２６がはめ込まれて半固定される。また、モジュールパネル１２０本体の側面には、板金ブラケット１３０の取り付けのガイドになる突起部１２５が形成されている。これにより、板金ブラケット１３０のモジュールパネル１２０本体への取り付けが容易となる。
【００２５】
図４は、本実施形態に係るモジュール１００の側面図である。本図に示すように、モジュール１００は、電気回路、電子回路等を備えたモジュール基板１１０と、上述のモジュールパネル１２０とを備えて構成され、モジュールパネル１２０の側面に、板金ブラケット１３０の連結部１３０ｃが見えるようになっている。
【００２６】
このように、本実施形態のモジュールパネル１２０では、板金ブラケット１３０の連結部１３０ｃを、横壁１２１の外側に配置するようにしているため、端子と板金ブラケット１３０との離間距離を確保できるのに加え、省スペース化が図れることになり、モジュールの実装を増やすことも容易になる。
【符号の説明】
【００２７】
１００…モジュール、１１０…モジュール基板、１２０…モジュールパネル、１２１…横壁、１２２…電流入力端子、１２３…電圧入力端子、１２４…電流センサ入力端子、１２５…突起部、１２６…ラッチ、１３０…板金ブラケット、１３０ａ…上側取り付け用ネジ穴部、１３０ｂ…下側取り付け用ネジ穴部、１３０ｃ…連結部、２００…モジュール型測定器、２１０…開口部、２２０…金属製ネジ止め部部、３００…モジュール、３１０…モジュール基板、３２０…モジュールパネル、３２１…横壁、３２２…電流入力端子、３２３…電圧入力端子、３２４…電流センサ入力端子、３３０…板金ブラケット
【図１】
2012112772.tif 000003
【図２】
2012112772.tif 000004
【図３】
2012112772.tif 000005
【図４】
2012112772.tif 000006
【図５】
2012112772.tif 000007
【図６】
2012112772.tif 000008
【図７】
2012112772.tif 000009